(57)【特許請求の範囲】
【請求項１】
移動体通信アンテナを支柱に設置するための柱上作業における工事用防護ネットであって、
前記支柱上の上下に離れた位置に、相対向して取り外し可能に固定される上部及び下部の一対の取付金具と、
前記上部取付金具から支柱周りに水平方向に展開する上部支持部材と、
前記下部取付金具から支柱周りに水平方向に展開する下部支持部材と、
上端部において前記上部支持部材に支持され、下部において前記下部支持部材に支持され、下部支持部材より下方に位置する下端部が収束されて支柱に係止され、前記支柱の周りに所定の作業間隔を置きかつ一部を開放させて支柱を囲むように張られるネット本体とを具備し、
前記上部支持部材は、前記上部取付金具に対して垂直に起立しまた水平に伏倒して支柱の半径方向へほぼ放射状に相互角度をおいて伸びるように起伏自在に枢支される３つの支持杆と、伏倒状態の支持杆の先端部付近に係止される一部開放環状の上部環状杆とを具備し、
前記下部支持部材は、前記下部取付金具に対して垂直に垂下しまた支柱の半径方向へほぼ放射状に相互角度をおいて水平に伸びるように起伏自在に枢支される３つの支持杆と、水平伸長状態の支持杆の先端部付近に係止される一部開放環状の下部環状杆とを具備し、
前記ネット本体は、上端部において前記上部環状杆に支持され、下部において前記下部環状杆に支持されることを特徴とする移動体通信アンテナの工事用防護ネット。
【請求項２】
前記上部及び下部取付金具は、前記支柱の側面の一部に当接して、当該当接側に水平に広がる枠板と、
この枠板に起伏自在に基端側において枢支され伏倒状態において支柱の半径方向へほぼ放射状に相互角度をおいて水平に伸びる第１ないし第３の３つの支持杆とを有し、第１及び第２の支持杆は伏倒状態において相互間に前記支柱を挟んで支柱の前記当接側と反対側へ所定の相互角度をおいて水平に伸びるよう配置され、第３の支持杆は伏倒状態において第１及び第２の支持杆の相互角度の中間を当該２つの支持杆と反対側へ水平に伸びるよう配置され、
前記上部及び下部環状杆は、開放した両端部が、それぞれ前記上部及び下部取付金具における前記第１及び第２の支持杆の先端部に対応するように配置され、
前記ネット本体は、開放した両端部が、それぞれ前記上部及び下部環状杆の開放した両端部に対応するように配置されることを特徴とする請求項１に記載の移動体通信アンテナの工事用防護ネット。
【請求項３】
前記ネット本体の開放部が支柱を囲む円周のほぼ１／３の間隔となるように設定されることを特徴とする請求項１または２に記載の移動体通信アンテナの工事用防護ネット。
【発明の詳細な説明】
【０００１】
【発明の属する技術分野】
本発明は、移動体通信用のアンテナの設置工事において、柱上作業中に落下物を受け止めるための防護ネットに関するものである。
【０００２】
【従来の技術】
従来、例えば人通りの多い道路端に直立する電柱の建替作業や電線取替等の工事を行う場合に、ボルトナットなどの部品や電線又はその被覆カバーの切断片、あるいは工具などの脱落の危険を回避するために、電柱上の作業位置より下方に、扇状に開くネットを複数本の骨材に張設して、ネットの基端部を電柱に巻き付けてバンドで固定するものがある。
【０００３】
【発明が解決しようとする課題】
上記従来の防護ネットでは、落下物が外側に向かって飛び出た場合に、確実に受け止めることができず、通行人への接触の危険がある。特に、移動体通信用のアンテナを設置する支柱に取り付ける場合には、径の寸法が小さいなどそのまま適用することが困難な事情がある。
そこで、本発明は、移動体通信用のアンテナを設置する支柱に対する取付けと取外しが容易で、かつコンパクトに構成でき、しかも落下物を確実に受け止めることができる移動体通信アンテナの工事用防護ネットを提供することを課題としている。
【０００４】
【課題を解決するための手段】
上記課題を解決するため、この発明においては、支柱Ｐ上の上下に離れた位置に、相対向して取り外し可能に固定される上部及び下部の一対の取付金具２と、上部取付金具２から支柱Ｐ周りに水平方向に展開する上部支持部材３と、下部取付金具２から支柱Ｐ周りに水平方向に展開する下部支持部材３と、上端部において上部支持部材３に支持され、下部において下部支持部材３に支持され、下部支持部材３より下方に位置する下端部が収束されて支柱Ｐに係止され、支柱Ｐの周りに所定の作業間隔を置きかつ一部を開放させて支柱Ｐを囲むように張られるネット本体５とを具備させて移動体通信アンテナの工事用防護ネットを構成する。上部支持部材３には、上部取付金具２に対して垂直に起立しまた水平に伏倒して支柱Ｐの半径方向へほぼ放射状に相互角度をおいて伸びるように起伏自在に枢支される３つの支持杆１６と、伏倒状態の支持杆１６の先端部付近に係止される一部開放環状の上部環状杆１７とを具備させる。下部支持部材３には、下部取付金具２に対して垂直に垂下しまた支柱の半径方向へほぼ放射状に相互角度をおいて水平に伸びるように起伏自在に枢支される３つの支持杆１６と、水平伸長状態の支持杆１６の先端部付近に係止される一部開放環状の下部環状杆１７とを具備させる。ネット本体５は、上端部において上部環状杆１７に支持し、下部において下部環状杆１７に支持する。
【０００５】
【発明の実施の形態】
本発明の実施の一形態を図面を参照して説明する。
図１乃至図３において、防護ネット１は、移動体通信アンテナを設置する支柱である鋼管柱Ｐに設置するものである。この防護ネット１は、上下の取付金具２、上部支持部材３，下部支持部材４、ネット本体５で構成される。取付金具２は、鋼管柱Ｐの周囲に当接される取付け枠６と、この取付け枠６の凹部に渡されて係止されるチェーン７とで夫々構成されている。
【０００６】
上部の取付金具２は、図４及び図５に示すように、上下に対向する一対の枠板８をボルト９で結合してなる取付け枠６を具備する。枠板８の縁部には鋼管柱Ｐのほぼ半部を受け入れる円弧状の凹部８ａを有する。チェーン７は、その一端が取付け枠６の一端部のボルト９に係止片１０を介して係止され、他端が取付け枠６の他端部のボルト９に締め込み部材１１で締め込み可能に連結されて、凹部８ａのほぼ両端間にわたる。締め込み部材１１は、チェーン７を引っかけるフック付きチェーンホルダ１２と、これに連結される締めボルト１３と、締めボルト１３に螺合する蝶ナット１４と、締めボルト１３が係合する固定金具１５とを備えており、チェーン７を鋼管柱Ｐに強固に締め付けることができる。固定金具１５は、図６に示すように、締めボルト１３挿通用の縦管１５ａとボルト９挿通用の横管１５ｂとが結合片１５ｃで結合されて成る。下部の取付金具２は、上記上部の取付金具２と同一構造であるが、鋼管柱Ｐへは上下を反転させて装着される。
【０００７】
上下両支持部材３，４は、取付金具２の取付け枠６に設けられた三本の支持杆１６と、支持杆１６に支持される環状杆１７とを備えている。取付金具２の支持杆１６は鋼管柱Ｐ周りに水平方向へほぼ放射状に突き出すように配置され、上部の枠板８上に起伏自在に軸支されている。支持部材３の支持杆１６の先端部には下方に突き出たＵ字環１６ａを有する。装着状体において、下部の取付金具２は、上記上部の取付金具２とは構造が上下に反転することになる。環状杆１７は、図７に示すように、三本の略円弧状の結合材１８を接続金具１９で一体に接続して構成される。上部の環状杆１７の両端部及び中央部に対応する結合材１８の部位には下向きのＵ字環１８ａが、下部の環状杆１７のそれには上下両側に向くＵ字環１８ａが設けられている。Ｕ字環１８ａにはリング付きフック１８ｂが夫々連結される。環状杆１７は、支持杆１６のＵ字環１６ａにフック１８ｂで連結される。接続金具１９は、図８に示すように、一方の結合材１８の一端に固定された継ぎ手２０と、これに抜け止めされつつ先端に向かって移動可能に嵌合する係合環２１と、継ぎ手２０に突き合わされる他方の結合材１８の端部に固定された対応継ぎ手２２とから夫々構成される。継ぎ手２０の先端部には半径方向にピン２０ａが突出している。係合環２１の内側にはピン２２ａの進路を規制する鉤溝２１ａを有する。対応継ぎ手２２は、先端部に継ぎ手２０が挿入されて係合環２１を嵌合させる。対応継ぎ手２２にはピン２０ａを受け入れる割溝２２ａを有する。同図（Ａ）から（Ｃ）に示すように、継ぎ手２０，２２を嵌合させてから、係合環２１を継ぎ手２２に移動させ、鉤溝２１ａに沿ってピン２０ａを相対移動させるように軸周りに回転させれば、ピン２０ａの移動が妨げられて係合環２１が軸方向に固定されるので、継ぎ手２０，２２を固定できる。
【０００８】
ネット本体５は、図９に示すように、展開状態で矩形状を成し、環状杆１７により一部を開放した筒状に形成される。ネット本体５の上縁部には図１０に示すように、袋状部２３が形成されており、上部の環状杆１７が挿入される。この袋状部２３には環状杆１７のＵ字環１８ａを上向きに突出させる切り込み２３ａを有する。ネット本体５の下部には、図９に示すように、止め輪２４がＵ字環１８ａの対応して軸心周りに三カ所でかつ縦方向に等間隔に位置を変えて四カ所に係止されている。ネット本体５の下端隅には、鋼管柱Ｐにネット本体５の下端縁を巻き込むように回して結び止めるためのロープ２５が延長している。
【０００９】
この防護ネット１は、アンテナを設置する鋼管柱Ｐの上端部に滑車を取り付け、これにロープを掛けて構成部材を吊り上げて鋼管柱Ｐに組み付ける。鋼管柱Ｐにはまず上部取付金具２を取り付ける。この場合、鋼管柱Ｐの側面に取付け枠６の凹部８ａを当てがい、チェーン７を枠板８に対して鋼管柱Ｐの反対側に回し、締め込み部材１１に連結して固定する。締め込み部材１１は、係止片１２に係止されたチェーン７の他端側をチェーンホルダ１２に掛けてから、締めボルト１３に螺合した蝶ナット１４を回転させることにより、固定金具１５のボルト挿通筒１５ａ内で締めボルト１３を相対移動させてチェーン８を引き締める。
【００１０】
次に、予め結合材１８を接続金具１９で接続して組み立てた環状杆１７をネット本体５の袋状部２３に差し通しておき、この環状杆１７が支持杆１６の高さ位置付近になるようにネット本体５を配置して、取付け枠６上で水平に転倒させた環状杆１７をフック１８ｂで支持杆１６のＵ字環１６ａに吊り止める。このネット本体５の下部の適宜高さ位置には、図１１に示すように、結合材１８を接続金具１９で接続して組み立てた他方の環状杆１７を止め輪２４に上フック１８ｂで吊り止めて取り付ける。次に、鋼管柱Ｐにおける下部の環状杆１７の下部位置に他方の取付金具２を支持杆１６が下になるように配置して取り付ける。そして、環状杆１７の下フック１８ｂを支持杆１６のＵ字環１６ａに掛け止める。最後に、ネット本体４を下方に張った状態でロープ２５を鋼管柱Ｐに巻き付けて結び付ける。なお、ネット本体５の両側縁間の開口は鋼管柱Ｐに隣接した建物等の側に配置するように考慮する。
【００１１】
鋼管柱Ｐにアンテナを設置するときに作業者はネット本体５の開口から中へ入って作業を行えば、ボルトナットなどの部品や電線又はその被覆カバーの切断片、あるいは工具などを落下させても、防護ネット１で受け止められる。特に、落下物が外側に向かっても周りを防護ネット１が取り囲んでいるので確実に受け止める。
【００１２】
【発明の効果】
以上のように、本発明においては、支柱に対する取付けと取外しが比較的容易で、かつコンパクトに構成できるし、落下物が外側に向かって落下しても、確実に受け止めることができ、下方の通行人や地上作業員への接触が回避されて安全を確保できるという効果を有する。
【図面の簡単な説明】
【図１】本発明に係る工事用防護ネット装置の正面図である。
【図２】工事用防護ネットの平面図である。
【図３】図１のIII−III線断面図である。
【図４】取付金具の平面図である。
【図５】取付金具の正面図である。
【図６】（Ａ）は固定金具の正面図、（Ｂ）は固定金具の平面正面図である。
【図７】環状杆１７の平面図である。
【図８】接続金具の正面図である。
【図９】ネット本体の展開図である。
【図１０】ネットの上部の正面図である。
【図１１】ネットの下部の正面図である。
【符号の説明】
１    防護ネット
２    取付金具
３    支持部材
４    係止部材
５    ネット本体
６    取付け枠
７    チェーン
１１    締め込み部材
１５    固定金具
１６    支持杆
１７    環状杆
１８    結合材
１９    接続金具
２３    袋状部
２５    ロープ
Ｐ    鋼管柱
【図１】
0003847183.tif 000002
【図２】
0003847183.tif 000003
【図３】
0003847183.tif 000004
【図４】
0003847183.tif 000005
【図５】
0003847183.tif 000006
【図６】
0003847183.tif 000007
【図７】
0003847183.tif 000008
【図８】
0003847183.tif 000009
【図９】
0003847183.tif 000010
【図１０】
0003847183.tif 000011
【図１１】
0003847183.tif 000012